【手続補正書】
【提出日】平成19年8月2日(2007.8.2)
【手続補正１】
【補正対象書類名】明細書
【補正対象項目名】特許請求の範囲
【補正方法】変更
【補正の内容】
【特許請求の範囲】
【請求項１】
複数の情報処理装置に接続され、少なくとも一つの前記複数の情報処理装置からデータを受信し、ＦＣ（Fibre Channel）インタフェースを介して記憶領域に書き込むように制御するコントローラ部と、
前記コントローラ部のＦＣインタフェースによる通信をＳＡＴＡ（Serial AT Attachment）インタフェースによる通信に変換するコンバータに１対１に対応し、前記コンバータを介して受信するデータを記憶するディスクドライブの複数と、
前記コントローラ部を収容する筐体と、
前記複数のディスクドライブとＦＣインタフェースを有する他の複数のディスクドライブとのいずれも収容可能な増設筐体と、を有し、
前記コントローラ部が少なくとも一つの前記複数の情報処理装置に対して、前記増設筐体に収容される前記複数のディスクドライブのうちの少なくとも一つのディスクドライブの情報を送信することにより、前記コントローラ部から前記少なくとも一つのディスクドライブの情報を受信する前記少なくとも一つの前記複数の情報処理装置は、前記少なくとも一つのディスクドライブがＳＡＴＡディスクドライブであることを識別して表示するものであることを特徴とするディスクアレイ装置。
【請求項２】
複数の情報処理装置に接続され、少なくとも一つの前記複数の情報処理装置からデータを受信し、ＦＣ（Fibre Channel）インタフェースを介して前記データを記憶領域に書き込むように制御するコントローラ部と、
前記コントローラ部のＦＣインタフェースをＳＡＴＡ（Serial AT Attachment）インタフェースに変換する複数のコンバータと、
各々が前記複数のコンバータのうちの異なるコンバータに対応し、前記複数のコンバータを介して受信するデータを記憶する複数のディスクドライブと、
前記コントローラ部を収容する筐体と、
前記複数のディスクドライブと、ＦＣインタフェースを有する他の複数のディスクドライブとのいずれも収容可能な増設筐体と、を有し、
前記コントローラ部が、少なくとも一つの前記複数の情報処理装置に対して、前記増設筐体に収容される前記複数のディスクドライブのうちの少なくとも一つのディスクドライブの情報を送信することにより、前記コントローラ部から前記少なくとも一つのディスクドライブの情報を受信する前記少なくとも一つの前記複数の情報処理装置は、前記少なくとも一つのディスクドライブがＳＡＴＡインタフェースを有するディスクドライブであることを識別して表示するものであることを特徴とするディスクアレイ装置。
【請求項３】
請求項１または２に記載のディスクアレイ装置であって、
前記コントローラ部は、前記増設筐体に収容される前記複数のディスクドライブのうちの少なくとも一つのディスクドライブから前記複数のディスクドライブのうちの少なくとも一つのディスクドライブの情報を取得し、
前記少なくとも一つの前記複数の情報処理装置に対して、前記複数のディスクドライブのうちの少なくとも一つのディスクドライブの情報を送信することを特徴とするディスクアレイ装置。
【請求項４】
請求項１または２に記載のディスクアレイ装置であって、
前記少なくとも一つの前記複数の情報処理装置は、前記コントローラ部から受信する前記複数のディスクドライブのうちの少なくとも一つのディスクドライブの情報に基づいて、前記複数のディスクドライブ毎に前記複数のディスクドライブのうちの少なくとも一つのディスクドライブの情報を表示することを特徴とするディスクアレイ装置。
【請求項５】
請求項１または２に記載のディスクアレイ装置であって、
前記少なくとも一つの前記複数の情報処理装置は、前記コントローラ部から受信する前記複数のディスクドライブのうちの少なくとも一つのディスクドライブの情報に基づいて、前記増設筐体に収容される前記複数のディスクドライブのうちの少なくとも一つのディスクドライブがＳＡＴＡディスクドライブであるか否かの情報、前記複数のディスクドライブのうちの少なくとも一つのディスクドライブの識別情報、および前記増設筐体の識別情報を含む情報を表示することを特徴とするディスクアレイ装置。
【請求項６】
請求項１または２に記載のディスクアレイ装置であって、
前記複数のディスクドライブ毎に前記複数のディスクドライブのうちの少なくとも一つのディスクドライブの情報を格納するメモリを有することを特徴とするディスクアレイ装置。
【請求項７】
請求項１または２に記載のディスクアレイ装置であって、
前記コントローラ部は、前記複数のディスクドライブのうちの少なくとも一つのディスクドライブの情報についてのテーブルを記憶するメモリを有することを特徴とするディスクアレイ装置。
【請求項８】
請求項１または２に記載のディスクアレイ装置であって、
前記コントローラ部は、前記増設筐体に収容される前記複数のディスクドライブのうちの少なくとも一つのディスクドライブから前記複数のディスクドライブのうちの少なくとも一つのディスクドライブの情報を取得し、メモリに格納することを特徴とするディスクアレイ装置。
【請求項９】
請求項１または２に記載のディスクアレイ装置であって、
前記コントローラ部は、前記増設筐体に収容される前記複数のディスクドライブのうちの少なくとも一つのディスクドライブに対して前記複数のディスクドライブのうちの少なくとも一つのディスクドライブの情報を要求し、前記複数のディスクドライブのうちの少なくとも一つのディスクドライブから前記複数のディスクドライブのうちの少なくとも一つのディスクドライブの情報を取得し、前記少なくとも一つの前記複数の情報処理装置に対して、前記複数のディスクドライブのうちの少なくとも一つのディスクドライブの情報を送信することを特徴とするディスクアレイ装置。
【請求項１０】
請求項１または２に記載のディスクアレイ装置であって、
前記コントローラ部は、ＦＣ−ＡＬ(Fibre Channel Arbitrated Loop)を介して前記コンバータに接続され、
前記コントローラ部は、前記ＦＣ−ＡＬを介して、前記増設筐体に収容される前記複数のディスクドライブのうちの少なくとも一つのディスクドライブに対して前記複数のディスクドライブのうちの少なくとも一つのディスクドライブの情報を要求し、前記少なくとも一つの前記複数の情報処理装置に対して、前記複数のディスクドライブのうちの少なくとも一つのディスクドライブの情報を送信することを特徴とするディスクアレイ装置。
【請求項１１】
請求項１または２に記載のディスクアレイ装置であって、
前記コントローラ部は、前記増設筐体に収容される前記複数のディスクドライブのうちの少なくとも一つのディスクドライブに対応する前記コンバータを介して、前記複数のディスクドライブのうちの少なくとも一つのディスクドライブに対して前記複数のディスクドライブのうちの少なくとも一つのディスクドライブを要求し、前記複数のディスクドライブのうちの少なくとも一つのディスクドライブから前記複数のディスクドライブのうちの少なくとも一つのディスクドライブの情報を取得することを特徴とするディスクアレイ装置。
【請求項１２】
請求項１または２に記載のディスクアレイ装置であって、
前記増設筐体に収容される前記複数のディスクドライブのうちの少なくとも一つのディスクドライブの情報に基づいて、前記複数のディスクドライブのうちの少なくとも一つのディスクドライブには、ＦＣディスクドライブのバックアップデータが格納されることを特徴とするディスクアレイ装置。
【請求項１３】
請求項１または２に記載のディスクアレイ装置であって、
前記増設筐体が前記他の複数のディスクドライブを収容する場合、前記少なくとも一つの前記複数の情報処理装置は、前記コントローラ部から受信する他の情報に基づいて、前記他の複数のディスクドライブのうちの少なくとも一つのディスクドライブがＦＣディスクドライブであることを識別して表示するものであることを特徴とするディスクアレイ装置。
【請求項１４】
ホスト計算機からデータを受信し、ＦＣ（Fibre Channel）インタフェースを介してデータを記憶領域に書き込むように制御するコントローラを有する筐体と増設筐体とから構成されるストレージシステムにおける前記コントローラに接続される計算機のプログラムであって、
前記コントローラから受信する情報に基づいて、前記コントローラのＦＣインタフェースによる通信をＳＡＴＡ（Serial AT Attachment）インタフェースによる通信に変換する変換回路に１対１に対応し、前記変換回路を介して受信するデータを記憶する複数のディスクドライブと、ＦＣインタフェースを有する他の複数のディスクドライブと、のいずれも収容可能な前記増設筐体に収容される、前記複数のディスクドライブのうちの少なくとも一つのディスクドライブが、ＳＡＴＡディスクドライブであることを識別し、
前記ＳＡＴＡディスクドライブであることを識別するディスクドライブ情報を表示する処理を、前記計算機に実行させることを特徴とする計算機のプログラム。
【請求項１５】
請求項１４に記載の計算機のプログラムであって、
前記コントローラは、前記増設筐体に収容される前記複数のディスクドライブのうちの少なくとも一つのディスクドライブから情報を取得し、前記計算機に対して前記情報を送信することを特徴とする計算機のプログラム。
【請求項１６】
請求項１４に記載の計算機のプログラムであって、
前記ディスクドライブ情報を表示する処理は、前記複数のディスクドライブ毎に、前記複数のディスクドライブのうちの少なくとも一つのディスクドライブの前記ディスクドライブ情報を表示する処理であることを特徴とする計算機のプログラム。
【請求項１７】
請求項１４に記載の計算機のプログラムであって、
前記ディスクドライブ情報は、前記複数のディスクドライブのうちの少なくとも一つのディスクドライブの識別情報を含むことを特徴とする計算機のプログラム。
【請求項１８】
請求項１４に記載の計算機のプログラムであって、
前記ディスクドライブ情報は、前記コントローラから受信する情報に基づいて、前記複数のディスクドライブのうちの少なくとも一つのディスクドライブがＳＡＴＡディスクドライブであるか否かの情報、前記前記複数のディスクドライブのうちの少なくとも一つのディスクドライブの識別情報、および前記増設筐体の識別情報を含むことを特徴とする計算機のプログラム。
【請求項１９】
請求項１４に記載の計算機のプログラムであって、
前記ディスクドライブ情報は、前記複数のディスクドライブ毎にメモリに格納されることを特徴とする計算機のプログラム。
【請求項２０】
請求項１４に記載の計算機のプログラムであって、
前記ディスクドライブ情報は、前記コントローラが参照するメモリ内のテーブルに格納されることを特徴とする計算機のプログラム。
【請求項２１】
請求項１４に記載の計算機のプログラムであって、
前記コントローラは、前記複数のディスクドライブのうちの少なくとも一つのディスクドライブから前記情報を取得し、
前記ディスクドライブ情報をメモリに格納することを特徴とする計算機のプログラム。
【請求項２２】
請求項１４に記載の計算機のプログラムであって、
前記コントローラは、前記増設筐体に収容される前記複数のディスクドライブに対して前記情報を要求し、前記複数のディスクドライブから前記情報を取得し、前記計算機に対して前記情報を送信することを特徴とする計算機のプログラム。
【請求項２３】
請求項１４に記載の計算機のプログラムであって、
前記コントローラは、前記複数のディスクドライブに対応する前記変換回路に、ＦＣ−ＡＬ(Fibre Channel Arbitrated Loop)を介して接続され、
前記コントローラは、前記ＦＣ−ＡＬを介して、前記増設筐体に収容される前記複数のディスクドライブのうちの少なくとも一つのディスクドライブに対して前記情報を要求し、前記複数のディスクドライブのうちの少なくとも一つのディスクドライブから前記情報を取得し、前記計算機に対して前記情報を送信することを特徴とする計算機のプログラム。
【請求項２４】
請求項１４に記載の計算機のプログラムであって、
前記コントローラは、前記増設筐体に収容される前記複数のディスクドライブのうちの少なくとも一つのディスクドライブに対応する前記変換回路を介して、前記複数のディスクドライブのうちの少なくとも一つのディスクドライブに対して前記情報を要求し、前記複数のディスクドライブのうちの少なくとも一つのディスクドライブから前記情報を取得することを特徴とする計算機のプログラム。
【請求項２５】
請求項１４に記載の計算機のプログラムであって、
前記ディスクドライブ情報に基づいて、前記増設筐体に収容される前記複数のディスクドライブのうちの少なくとも一つのディスクドライブには、ＦＣディスクドライブのバックアップデータが格納されることを特徴とする計算機のプログラム。
【請求項２６】
請求項１４に記載の計算機のプログラムであって、
前記増設筐体が前記他の複数のディスクドライブを収容する場合、
前記ディスクドライブ情報を表示する処理は、前記コントローラから受信する他の情報に基づいて、前記他の複数のディスクドライブのうちの少なくとも一つのディスクドライブがＦＣディスクドライブであることを識別する他のディスクドライブ情報を表示する処理であることを特徴とする計算機のプログラム。
【請求項２７】
複数の情報処理装置に接続され、少なくとも一つの前記複数の情報処理装置からデータを受信し、ＦＣ（Fibre Channel）インタフェースを介して前記データを記憶領域に書き込むように制御するコントローラ部を有し、
前記コントローラ部は、
前記コントローラ部のＦＣインタフェースによる通信をＳＡＴＡ（Serial AT Attachment）インタフェースによる通信に変換するコンバータに１対１に対応し、前記コンバータを介して受信したデータを記憶する複数のディスクドライブと、ＦＣインタフェースを有する複数の他のディスクドライブと、のいずれも収容可能な増設筐体に収容される、前記複数のディスクドライブのうちの少なくとも一つのディスクドライブから情報を取得する処理と、
少なくとも一つの前記複数の情報処理装置が、前記複数のディスクドライブのうちの少なくとも一つのディスクドライブがＳＡＴＡインタフェースを有するディスクドライブであることを識別する識別情報を表示可能なように、前記識別情報を表示する前記情報処理装置に対して前記複数のディスクドライブのうちの少なくとも一つのディスクドライブの情報を送信する処理と、を前記コントローラ部に実行させるプログラムを有することを特徴とするディスクアレイ装置。
【請求項２８】
請求項２７に記載のディスクアレイ装置であって、
前記識別情報を表示する前記情報処理装置は、前記増設筐体に収容される前記複数のディスクドライブ毎に、前記複数のディスクドライブのうちの少なくとも一つのディスクドライブの情報を表示することを特徴とするディスクアレイ装置。
【請求項２９】
請求項２７に記載のディスクアレイ装置であって、
前記識別情報を表示する前記情報処理装置は、前記コントローラ部から受信する前記複数のディスクドライブの情報に基づいて、前記増設筐体に収容される前記複数のディスクドライブのうちの少なくとも一つのディスクドライブがＳＡＴＡディスクドライブであるか否かの情報、前記複数のディスクドライブのうちの少なくとも一つのディスクドライブの識別情報、および前記増設筐体の識別情報を含む情報を表示することを特徴とするディスクアレイ装置。
【請求項３０】
請求項２７に記載のディスクアレイ装置であって、
前記複数のディスクドライブ毎に前記複数のディスクドライブのうちの少なくとも一つのディスクドライブの情報を格納するメモリを有することを特徴とするディスクアレイ装置。
【請求項３１】
請求項２７に記載のディスクアレイ装置であって、
前記コントローラ部は、前記複数のディスクドライブのうちの少なくとも一つのディスクドライブの情報についてのテーブルを記憶するメモリを有することを特徴とするディスクアレイ装置。
【請求項３２】
請求項２７に記載のディスクアレイ装置であって、
前記増設筐体に収容される前記複数のディスクドライブのうちの少なくとも一つのディスクドライブの情報は、メモリに格納されることを特徴とするディスクアレイ装置。
【請求項３３】
請求項２７に記載のディスクアレイ装置であって、
前記プログラムは、前記増設筐体に収容される前記複数のディスクドライブのうちの少なくとも一つのディスクドライブに対して前記複数のディスクドライブのうちの少なくとも一つのディスクドライブの情報を要求する処理を前記コントローラ部に実行させることを特徴とするディスクアレイ装置。
【請求項３４】
請求項２７に記載のディスクアレイ装置であって、
前記コントローラ部は、前記複数のディスクドライブのうちの少なくとも一つのディスクドライブに対応する前記コンバータに、ＦＣ−ＡＬ(Fibre Channel Arbitrated Loop)を介して接続され、
前記プログラムは、前記ＦＣ−ＡＬを介して、前記増設筐体に収容される前記複数のディスクドライブのうちの少なくとも一つのディスクドライブに対して前記複数のディスクドライブのうちの少なくとも一つのディスクドライブの情報を要求する処理を前記コントローラ部に実行させることを特徴とするディスクアレイ装置。
【請求項３５】
請求項２７に記載のディスクアレイ装置であって、
前記複数のディスクドライブのうちの少なくとも一つのディスクドライブから情報を取得する処理は、前記増設筐体に収容される前記複数のディスクドライブのうちの少なくとも一つのディスクドライブに対応する前記コンバータを介して、前記複数のディスクドライブのうちの少なくとも一つのディスクドライブに対して前記複数のディスクドライブの情報を要求する処理であることを特徴とするディスクアレイ装置。
【請求項３６】
請求項２７に記載のディスクアレイ装置であって、
前記プログラムは、前記増設筐体に収容される前記複数のディスクドライブのうちの少なくとも一つのディスクドライブの情報に基づいて、前記複数のディスクドライブのうちの少なくとも一つのディスクドライブにＦＣディスクドライブのバックアップデータを格納する処理を前記コントローラ部に実行させることを特徴とするディスクアレイ装置。
【請求項３７】
請求項２７に記載のディスクアレイ装置であって、
前記増設筐体が前記他の複数のディスクドライブを収容する場合、
前記複数のディスクドライブのうちの少なくとも一つのディスクドライブから情報を取得する処理は、前記他の複数のディスクドライブのうちの少なくとも一つのディスクドライブから他の情報を取得する処理であり、
前記識別情報を表示する前記情報処理装置に前記複数のディスクドライブの情報を送信する処理は、前記識別情報を表示する前記情報処理装置が、前記コントローラ部から受信する前記他の情報に基づいて、前記他の複数のディスクドライブのうちの少なくとも一つのディスクドライブがＦＣディスクドライブであること識別する情報を表示可能なように、前記識別情報を表示する前記情報処理装置に対して前記他の情報を送信する処理であることを特徴とするディスクアレイ装置。
【手続補正２】
【補正対象書類名】明細書
【補正対象項目名】０００６
【補正方法】変更
【補正の内容】
【０００６】
【課題を解決するための手段】
上記目的を達成するための本発明の主たる発明であるディスクアレイ装置は、複数の情報処理装置に接続され、少なくとも一つの前記複数の情報処理装置からデータを受信し、ＦＣ（Fibre Channel）インタフェースを介して記憶領域に書き込むように制御するコントローラ部と、
前記コントローラ部のＦＣインタフェースによる通信をＳＡＴＡ（Serial AT Attachment）インタフェースによる通信に変換するコンバータに１対１に対応し、前記コンバータを介して受信するデータを記憶するディスクドライブの複数と、
前記コントローラ部を収容する筐体と、
前記複数のディスクドライブとＦＣインタフェースを有する他の複数のディスクドライブとのいずれも収容可能な増設筐体と、を有し、
前記コントローラ部が少なくとも一つの前記複数の情報処理装置に対して、前記増設筐体に収容される前記複数のディスクドライブのうちの少なくとも一つのディスクドライブの情報を送信することにより、前記コントローラ部から前記少なくとも一つのディスクドライブの情報を受信する前記少なくとも一つの前記複数の情報処理装置は、前記少なくとも一つのディスクドライブがＳＡＴＡディスクドライブであることを識別して表示するものであることを特徴とする。